(57)【要約】【課題】行き先階決定部の指令で運転の開始された、或いは、運転が始まろうとしているエレベーター、また、乗りカゴ内の行き先階選択ボタン、押し間違い、目的階の変更で変更前の不必要となった階への停止を無くすことにより到着時間を短縮し、更に、エレベーターの制動、起動の回数を減らす事ができるエレベーターの運行装置を提供する。【解決手段】エレベーターの運行装置において、乗りカゴ情報収集部２及びホール呼び情報収集部３からの情報を元に運行し、それぞれからのキャンセル情報を検知した場合エレベーターの運行を休止し、または、不必要となった階への途中停止をする事無く通過させることができる。【選択図】  図１
2015037981.tif 000002
【特許請求の範囲】
【請求項１】
エレベーターの運行を管理する運行装置において、ホール呼び、或いはカゴ呼びボタンが押され運行を開始したエレベーターが、ホール呼びボタン、カゴ呼びボタンに併設された、それぞれのキャンセルボタンを押すことによって、或いはホール呼びキャンセルボタンに併設されたセンサーから送られた信号により運転中に不要となった運行中エレベーターの運行を休止、又は、不要となった階への停止をすることなく通過させることを特徴とするエレベーターの運行装置。
【請求項２】
エレベーターの運行を管理する運行装置は、乗りカゴ情報収集手段とホール呼び情報収集手段を備え、各手段からの情報に基づき運行中のエレベーターを各キャンセルボタンの作動、キャンセル人感センサーにより、不要となった運行を直ちに最寄りの階で休止させ待機の状態とし、或いは、不要となった階を通過させることを特徴とする請求項１に記載のエレベーターの運行装置。
【請求項３】
ホール呼び情報により運行を開始したエレベーターが、ホール呼びボタンに併設されたホール呼びキャンセルボタンが作動した場合、他の階においてホール呼びが無い場合最寄りの階で休止し待機し不要となった無駄な運行をしないことを特徴とする請求項１乃至請求項２に記載のエレベーターの運行装置。
【請求項４】
行き先階選択ボタンにより運行中のエレベーターが、カゴ内で選択したと同一階のホールにおいてホール呼びキャンセルボタンに併設された人感センサーによりキャンセルの信号が送られた場合、ホール呼びキャンセルボタンより、乗りカゴ内の行き先階選択ボタンが優先され停止することを特徴とする請求項１乃至請求項３に記載のエレベーターの運行装置。
【請求項５】
乗りカゴ内の乗客が、行き先階選択ボタンの複数階を押し運行中のエレベーターにおいて、行き先階の変更、ボタンの押し間違いにより、行き先選択ボタンに併設された行き先階キャンセルボタンが押された場合、押されたキャンセル階には停止することなく通過できるエレベーターの運行装置であって、当該キャンセル階のホール呼びボタンが押されている場合はホール呼びが優先されることを特徴とする請求項１乃至請求項４に記載のエレベーターの運行装置。
【請求項６】
複数階のホール呼びが作動し、途中の階で乗客定員に近い状態と成った場合、ホール呼びキャンセルボタンに併設された人感センサーによりホール待ちの人数を掌握しホール及び当該ホールの表示部に自動的に「満員です。次のエレベーターをご利用ください。」等の表示をなすものであって、乗りカゴ内の行き先階選択ボタンを優先しエレベーターを運行させることを特徴とする請求項１乃至請求項５に記載のエレベーターの運行装置。
【請求項７】
乗りカゴ内の乗客、貨物等が無くなった場合、乗りカゴの積載重量監視システムにより識別し、他の階においてホール呼びの信号が無い場合は、自動でエレベーターを休止することを特徴とする請求項１乃至請求項６に記載のエレベーターの運行装置。
【発明の詳細な説明】
【技術分野】
【０００１】
本発明は、エレベーターの運行方式に係り、無駄な停止、起動を抑制し、運転効率を向上させ、省エネにも大きく貢献出来るエレベーターの運行装置に関する。
【背景技術】
【０００２】
従来のエレベーターは、特許文献１に記載されるように、ホール呼びとかご位置を元にエレベーターの運行方向を決定していた。
特許文献２ではかごの位置を元に呼び出しホールに近いエレベーターを呼び運転方向とは逆方向で有っても最寄りのカゴを呼び、他をキャンセルし、ホール呼びの長持ち時間を防止していた。
特許文献３では、高層ビルのように停止階数が多い場合にエレベーター運転盤の小型化を図ることを目的に、階床登録、表示、及び登録解消を行うエレベーター運転盤が開示されている。
特許文献４では、一旦登録した釦を再度押すことにより先に登録を解除することができる運転装置である。
【先行技術文献】
【特許文献】
【０００３】
【特許文献１】特開昭６３−２１６８７号公報
【特許文献２】特開平９−３０１６４７号公報
【特許文献３】特開２０００−１０３５７６号公報
【特許文献４】特開２００４−２５０２２７号公報
【発明の概要】
【発明が解決しようとする課題】
【０００４】
上記従来技術は、複数のエレベーターが設置された施設の場合に、如何にしてホール待ちの時間を短縮できるかのカゴ呼びをコントロールするものである。
ホール待ちの中のキャンセル、カゴに乗った人の行く先変更も、一度指定した目的階はキャンセルできないため不要となった当初指定の階にも停止するため、無駄な時間を費やすばかりでなく、エレベーターの動力モーター等は起動時に大量の電力を消費するため此れらの不要となった停止、運行を無くすことによりホール待ち時間の短縮、エネルギーの浪費を防ぐ。
本発明は、各ホールのカゴ呼びボタン及び乗りカゴ内の行き先指示ボタンに、それぞれキャンセルを可能とするキャンセル専用のボタンを併設し、不必要となった停止、運転再開を減らすことにより、目的階への到達時間の短縮と省エネの為の手法を提供する。
【０００５】
一方、特許文献３では、カゴ内の運転盤に登録解除釦が一つしかないため、行き先階を呼び出しては解除しなければならないとういう問題点があった。
また、特許文献４では、利用者が当該釦を一回押す毎に登録及び解消ができるようになっていたため、複数のエレベーターが設置されていた場合のエレベーターホールでは、各エレベーター毎にカゴ呼びボタンが設けられた施設の場合、総てのカゴ呼びボタンは連動しているため、概にカゴ呼びボタンが押されている場合で、他のエレベーターの前で別の人がカゴ呼びボタンを押した場合、必然的にカゴ呼びはキャンセルされてしまいエレベーターは通過してしまいキャンセルしていることに気づいた時、新たにカゴ呼びボタンを再度押さなければならないと言う問題点があった。
さらに、エレベーター乗りカゴ内でも同様に、行き先階選択盤が２箇所以上設けられている乗りカゴのものが多くなり、先に目的階を同じくする人が概に行き先階選択ボタンが押されている事に気づかず同一ボタンを押した場合、当該階はキャンセルされ通過してしまうという問題点があった。
【課題を解決するための手段】
【０００６】
上記課題を解決するため、本発明では、エレベーターを運行監理する運行装置システムにおいて、ホール呼び出し情報収集システム、並びに、乗りカゴ情報検出システムを備え、各ホール呼び出しボタンにキャンセルボタンを併設し又は、ホール待ち人の有無、待ち客数を検出するセンサーを併設し、且つ、乗りカゴ行き先選択ボタンそれぞれにも行き先選択ボタンをキャンセルできるキャンセルボタンを併設されたものである。
【発明の効果】
【０００７】
本発明では、ホール待ちの乗客が長持ちのため、カゴ乗りを断念し、階段等の他の方法を選択しエレベーターを使用しないと決断した場合、カゴ呼びボタンに併設されたキャンセルボタン（エコボタン）を押す事により、乗客のいなくなったホールへのエレベーターを停止させることなく通過させる事により目的フロアーへの到達時間を短縮することが可能となる。よって、停止、運転再開を減少させ、省エネに大きな効果がある。カゴ呼びボタンを押した事により、運転を開始したエレベーターも、キャンセルボタンを押した場合、他のフロアーでカゴ呼びが無い場合は、直ちに最寄りのフロアーで運転が休止され、不必要となった部分の運転を取りやめ省エネとなる。
【０００８】
また、乗客が上記と同様に、カゴ乗りを断念し他の移動方法を選択した場合であってキャンセルボタンを押す事なく立ち去った場合等を考慮し、人感センサー等をエレベーターホールの必要範囲網羅できるように設置し、ホールに一定時間人が不在となった場合も上記と同様に自動的にキャンセルされる事が望ましい。
【０００９】
乗りカゴ内の行き先選択ボタンもカゴ呼びボタンと同様に、キャンセルボタンを併設し目的階を変更した乗客は不要となった階をキャンセルすることにより新たな目的階へ不要な階に停止することが無くなり早く到達できる。また、カゴ乗り当初に押した目的階以前の階でカゴより降りることとなり、其れ以遠へのエレベーターの進行が不要と成った場合はキャンセルボタンを押すことによりエレベーターは運休され不必要な運転は取りやめられる。さらに、乗りカゴには積載量、乗りカゴ定員をチェックするため常時、積載重量を監視するシステムが設けられており、乗りカゴ内に乗客、運搬物か無くなったときも当然キャッチすることは可能である。目的階変更し途中でカゴから降り、他に乗客及び運搬物が無い場合で、ホール呼びの信号をも無い場合は、キャンセルボタンの操作の有無に拘わらず自動でエレベーターの運行を休止することを可能とする。
【図面の簡単な説明】
【００１０】
【図１】本発明のエレベーター運行装置の全体構成を示す図である。
【図２】本発明のエレベーター内の斜視図である。
【図３】本発明のエレベーターホールの斜視図である。
【図４】本発明の操作ボタンの詳細図である。
【発明を実施するための形態】
【００１１】
以下、本発明の実態形態について図面を参照しながら詳述する。
【００１２】
図１は、本発明の全体構成を示す図である。ホール呼びボタン９の情報は、制御装置１内のホール呼び情報収集部３に送られる。乗りカゴ６内の行き先階選択ボタン７の情報は、制御装置１内のカゴ呼び情報収集部２に送られる。
複数のエレベーターが設置されている場合には、号機制御装置５を介して制御装置１内の乗りカゴ情報収集部２に送られる。
【００１３】
行き先階決定部４は、乗りカゴ情報収集部２及び、ホール呼び情報収集部３の情報に基づき行き先階を決定する。複数設置の場合は号機制御装置５へ伝える。
乗りカゴ内の目的階変更によるキャンセル及び、ホール呼びのキャンセルに有っても同様な伝達経路である。
【００１４】
行き先階決定部４で行われる、行き先階決定処理は従来のエレベーターと同様である。
【００１５】
エレベーターの運転中にホール呼びボタンが押され、行き先階決定部３がホール呼び情報により行き先を追加指定した後、乗客が何らかの事情でホール呼びをキャンセルしたり、エレベーターホールに一定以上の時間乗客が不在となり自動的にホール呼びがキャンセルされた場合には、ホール呼び情報収集部３の情報は直ちに行き先決定部４に伝えられ、キャンセルされた階に停止する事なく通過する。
【００１６】
エレベーターが待機状態でホール呼びボタン９が押された場合、制御装置１内の行き先階決定部４の指令によりエレベーターが運転を始めた後、ホールのホール呼びボタン９に併設されたホール呼びキャンセルボタン１０又は、ホール呼び自動キャンセルセンサー１１によってキャンセルをされた場合、直ちに、ホール呼び情報収集部３に送られ、他に、制御装置１内の行き先階決定部４に別の指令が無い場合エレベーターは最寄りの階で休止する。此れにより、無駄な運転を最小限に抑えることが可能となる。
【００１７】
ホール呼びボタン９を押し、エレベーターを呼び到着したカゴに乗り、行き先選択ボタン７を押し行き先階を指定する。エレベーターが運転を開始した後、最初に押した行き先階より以前の階に目的階を変更した場合は、後に押した選択階に当然停止する。エレベーターが再度、動き出す前に、行き先選択ボタン７に併設された行き先階キャンセルボタン８を押すことにより当初の行き先階はキャンセルされカゴ乗り情報収集部２を経由し、行き先階決定部４に送られ、他に、行き先階情報が無ければエレベーターは最後に停止した階以遠の運転を休止する。此れにより、無駄なエネルギーの消費を防ぐ事ができる。
【００１８】
また、複数の乗客が複数の行き先階選択ボタン７、或いは、行き先階選択ボタン７を間違えて押した場合、行き先を変更し不要となった階、間違えて押した階の行き先階選択ボタン７に併設された行き先選択キャンセルボタン８を押せば、当該ホールでホール呼びボタン９が押されていない場合、キャンセルした階は通過し、到着時間の短縮となりエネルギーの制動、起動によるエネルギーの浪費の抑制となり有効である。
【００１９】
新装置案内部１３には、キャンセルした階の通過や最後に停止した階以遠の運転を休止する場合に「通過階の表示」或いは「運転を休止」する旨の表示を行う。さらに、エレベーターホールに設けた、エレベーター運行情報盤１５には、乗りカゴ６内の乗客数、積載重量を算出した後、乗客定員、許容積載重量に近い状態や、ホール待ちの客数が多く明らかな定員オーバーと成る場合には、音声ガイダンス用スピーカー１４から「満員です。次のエレベーターをご利用ください。」等の案内と、エレベーター運行情報盤１５により案内表示を行う。
【００２０】
エレベーターの乗客が、満員に近い状態の場合等で、ホール呼びのボタンが押されているにも拘らず当該階を通過する場合、エレベーターの現在位置等を表示することで、ホール待ち客の精神的なストレスを軽減するため、或いは、本発明のエレベーター運行装置の周知を図るためにエレベーター運行情報盤１５を設けても良い。
【００２１】
さらに、乗りカゴ６には積載量、乗客数をチェックするため常時、積載重量を監視するための積載重量監視システム１６が設けられており、乗りカゴ６内に乗客運搬物が無くなったときには、ホール呼びの信号が無い場合は、自動でエレベーターの運行を休止する。
【００２２】
なお、本発明の実施形態について図面を参照して説明したが、本発明は、これに限定されない。例えば、上記実施形態では、２台のエレベーターに本発明を適用したものであるが、複数台の組み合わせでも良く、本発明の要旨を逸脱しない範囲内において種々の変更を加える事が可能である。
【符号の説明】
【００２３】
１  制御装置
２  乗りカゴ情報収集部
３  ホール呼び情報収集部
４  行き先階決定部
５  複数機設置の場合の号機制御装置
６  乗りカゴ
７  行き先階選択ボタン
８  行き先階選択キャンセルボタン
９  ホール呼びボタン
１０  ホール呼びキャンセルボタン
１１  ホール呼び自動キャンセル人感センサー
１２  乗りカゴ内行き先階選択ボタン盤
１３  新装置案内部
１４  音声ガイダンス用スピーカー
１５  エレベーター運行情報盤
１６  積載重量監視システム
【図１】
2015037981.tif 000003
【図２】
2015037981.tif 000004
【図３】
2015037981.tif 000005
【図４】
2015037981.tif 000006
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
エレベーターの運行を管理する運行装置において、ホール呼び、或いはカゴ呼びボタンが押され運行を開始したエレベーターが、ホール呼びボタン、カゴ呼びボタンに併設されたそれぞれのキャンセルボタンを押すことによって、ホール呼びボタン、カゴ呼びボタンから送られた信号により運行中に不要となった運行中エレベーターの運行を休止、又は、不要となった階への停止をすることなく通過させ、
前記運行装置には、乗りカゴ情報収集手段とホール呼び情報収集手段を備え、各手段からの情報に基づき運行中のエレベーターを各キャンセルボタンのボタンの作動により、不要となった運行を直ちに最寄りの階で休止させ待機の状態とし、或いは、不要となった階を通過させ、他の階においてホール呼びが無い場合最寄りの階で休止し待機し不要となった無駄な運行をしないものであって、行き先階選択ボタンにより運行中のエレベーターが、カゴ内で選択したと同一階のホールにおいてホール呼びキャンセルボタンによりキャンセルの信号が送られた場合、ホール呼びキャンセルボタンより、乗りカゴ内の行き先階選択ボタンが優先され停止するものにおいて、乗りカゴ内の乗客が、行き先選択ボタの複数階を押し運行中のエレベーターにおいて，行き先階の変更、ボタンの押し間違いにより、行き先選択ボタンに併設された行き先階キャンセルボタンが押された場合、押されたキャンセル階には停止することなく通過できるエレベーターの運行装置であって、当該キャンセル階のホール呼びボタンが押されている場合はホール呼びが優先されると共に、複数階のホール呼びが作動し、途中の階で乗客定員に近い状態となった場合、ホール呼びキャンセルボタンに併設された人感センサーによりホール待ちの人数を掌握し、ホール及び当該ホールの表示部に自動的に「満員です。次のエレベーターをご利用ください。」等の表示をなすものであって、乗りカゴ内の行き先階選択ボタンを優先しエレベーターを運行させることを特徴とするエレベーターの運行装置。
【請求項２】
乗りカゴ内の乗客、貨物等が無くなった場合、乗りカゴの積載重量監視システムにより識別し、他の階においてホール呼びの信号が無い場合は、自動でエレベーターを休止することを特徴とする請求項１に記載のエレベーターの運行装置。